(57)【要約】【課題】  出力用紙サイズと原稿用紙サイズが異なるサイズであっても、画像レイアウトをプレビュー画面で表示、レイアウト調整可能とすることで、ミス出力を防ぎ、ユーザの望む画像配置で印刷可能とする。また、画像レイアウト位置を登録させることで２回目以降の作業負担を軽くする。【解決手段】  出力用紙の選択、あるいは出力用紙サイズを画像読み取りでサイズ検知し、原稿画像を読み取った後、デフォルトの画像レイアウトでプレビュー画面表示する。ユーザからの画像調整指示に従って原稿配置位置を変更しプレビュー画面にて再表示する。ユーザのコピー開始指示に従い、設定の画像レイアウトで画像を印刷する。【選択図】  図４
2007074540.tif 000002
【特許請求の範囲】
【請求項１】
画像読み取り部と、画像メモリと、画像記録部と、操作部と、表示部と、制御手段を備え、
操作部には、出力用紙と原稿画像の位置関係を確認する制御動作を開始させるための確認開始入力手段と、原稿画像位置を変更するための位置変更入力手段とが備えられ、
制御手段は、確認開始入力手段の操作に基づいて、現行の読み取りにより得た画像情報を画像メモリに格納し、選択されている記録紙の画像に位置変更に応じた位置の画像情報を重ねて出力画像を作成し、その出力画像を表示部に表示するように制御する手段を有することを特徴とする画像形成装置。
【請求項２】
制御手段は、出力画像の表示中において、位置変更手段により画像出力位置が変更されると、出力画像の記録紙に対する画像情報の表示位置を、位置変更に対応した位置に変更するように制御する手段を有することを特徴とする請求項１に記載の画像形成装置。
【請求項３】
操作部には、記録紙を変更するための用紙サイズ変更入力手段が備えられ、制御手段は、出力画像の表示中において、用紙サイズ変更入力手段により用紙サイズの変更指示されると、出力画像の画像情報に対する記録紙の表示を変更指示されたサイズの記録紙に変更するよう制御する手段を有することを特徴とする請求項１乃至２に記載の画像形成装置。
【請求項４】
用紙サイズ読み取り部を備え、
用紙サイズ読み取り部では、あらかじめ認識していない大きさの記録紙をサイズ検知する手段と、用紙サイズ読み取り部において検知した用紙を記録紙とし、出力画像との位置関係を表示部に表示するように制御する手段を有することを特徴とする請求項１乃至３に記載の画像形成装置。
【請求項５】
記録紙と、原稿画像サイズと、その出力位置を登録し、記憶しておく出力位置保持部を備え、
設定された記録紙と原稿画像サイズと、その出力位置関係の組み合わせを保持しておくように制御する手段を有することを特徴とする請求項４に記載の画像形成装置。
【請求項６】
あらかじめ保持されている出力位置情報を表示部に表示させる手段と、出力位置情報にある組み合わせの出力位置が指示されると、出力位置情報の保持する記録紙と出力画像との位置関係を表示部に表示するように制御する手段を有することを特徴とする請求項５に記載の画像形成装置。
【請求項７】
操作部にはコピー動作を実行させる出力実行指示入力手段を備え、制御手段は、出力画像の表示中において、出力指示操作があると、画像メモリより原稿画像を読み出すと共に、選択されている記録紙を記録紙収容部から取り出し、表示部に表示されている出力画像と同一のレイアウトで画像情報を記録紙上に印刷するように制御する手段を有することを特徴とする請求項１〜４、および６に記載の画像形成装置。
【請求項８】
出力画像における画像情報は、画像メモリ内の画像情報から解像度を落とした簡略画像情報であることを特徴とする請求項１，２，４，６に記載の画像形成装置。
【発明の詳細な説明】
【技術分野】
【０００１】
本発明は、画像形成装置に関し、特に、出力動作の実行前に、出力画像と記録紙の位置関係を確認、変更可能とする技術に関するものである。
【背景技術】
【０００２】
コピー機能付のデジタル複合機等の画像形成装置において、事務的出力だけでなく、デザイン的なレイアウトを要する出力や、固定の記録用紙サイズではなく、特殊なサイズの記録用紙に出力したい場合など、出力方法が多種に渡ってきている。しかし、そのような出力をユーザが希望どおり行うためには、まずはコピー動作をしてみて、デフォルトの印刷位置を確認し、出力位置が適正でない場合、希望の位置に原稿画像が出力されるように原稿の位置を手動で変更し再度コピーする必要があった。このため、ミスコピーによる記録紙のロスが発生しやすい。また、特殊な記録紙など、試し印刷ができない(したくない)場合、代用の記録紙を用いて試し印刷を行い、本番用記録紙で試せないので、最終的に希望どおり出力できるか否か保証もなかった。
【０００３】
さらに、一般的ではない原稿サイズや出力用紙サイズを用いたコピーでも、ユーザによってはよく使う組み合わせであったりする場合、そのたびに設定をしなおす手間があった。
【０００４】
ミスコピーによるロスの削減を目的とした従来技術として、特許文献１には、入力された画像の作像結果を事前に確認できるようにするため、複写媒体と記録媒体とを重ね合わせて表示することが記録されている。加えてこの確認時に複写画像の倍率調整を行うことが記載されており、適正なサイズで原稿画像を記録しに印字可能としている。
【０００５】
また、特許文献２においては、複写画像の倍率調整を行い、且つ、複写画像と記録紙の位置関係をレイアウト表示し、実際に出力されるコピー画像を作成することで、より一層ミスコピーのロスを防ぐものとしている。
【特許文献１】特開平０９−２４７３７２号公報
【特許文献２】特開２００３−３１９１４４号公報
【発明の開示】
【発明が解決しようとする課題】
【０００６】
前記特許文献１の技術は、具体的に「原稿サイズ＆方向(入力もしくは検知による)と、記録紙サイズおよび方向(入力もしくは自動選択による)とから、作像結果を作成する」ものである。よって該技術においては、原稿画像が画像形成装置の読み取り部において読み取られた場合であっても、原稿画像そのものは確認用に表示されることはなく、あくまでも入力もしくは検知された原稿サイズのみが、記録紙のサイズとの比較対象となる。つまり、原稿画像そのものの確認は行われない。
【０００７】
また、前記特許文献２の記述は、画像形成装置の読み取り部において読み取られた原稿画像と記録紙のレイアウト状況を表示画面において表示することにより、原稿画像そのものの確認は行われるものの、原稿画像のコピー倍率を調整することによってのみレイアウト変更を調整できるものである。よって、いずれの従来技術もユーザの希望する記録用紙に原稿画像を希望するレイアウトで配置し、且つ原稿画像そのものの確認を行えない。さらに、何かしらの手段で記録紙、原稿画像、出力位置を調整できても、その組み合わせで登録する手段がないため、別の原稿画像による同一レイアウトを複数回行う場合でも、出力のたびに設定を行わなければならない。
【０００８】
本発明は、設定された記録紙、あるいは、画像形成装置が検知していない記録紙であっても、サイズを検知する。そして、原稿画像を読み取り、読み取り画像が記録紙媒体上にどのように印字されるかを示す出力画像を形成することで、ミスコピーを防ぐと共に、ユーザの望む印刷レイアウトに原稿画像の位置調整をし、コピー可能とする。また、一度設定した記録紙、原稿画像サイズ、位置調整情報を保持しておくことで、ユーザ毎の特殊なレイアウト出力の場合でも簡単操作で再出力可能とする。
【課題を解決するための手段】
【０００９】
上述の目的の少なくとも一つを達成するため、本願発明は、以下の手段を提供する。
【００１０】
請求項１に記載の発明は、画像読み取り部と、画像メモリと、画像記録部と、操作部と、表示部と、制御手段を備え、
操作部には、出力用紙と原稿画像の位置関係を確認する制御動作を開始させるための確認開始入力手段と、原稿画像位置を変更するための位置変更入力手段とが備えられ、
制御手段は、確認開始入力手段の操作に基づいて、現行の読み取りにより得た画像情報を画像メモリに格納し、選択されている記録紙の画像に位置変更に応じた位置の画像情報を重ねて出力画像を作成し、その出力画像を表示部に表示するように制御する手段を有する
ことを特徴とする。
【００１１】
請求項２に記載の発明は、制御手段は、出力画像の表示中において、位置変更手段により画像出力位置が変更されると、出力画像の記録紙に対する画像情報の表示位置を、位置変更に対応した位置に変更するように制御する手段を有することを特徴とする。
【００１２】
請求項３に記載の発明は、操作部には、記録紙を変更するための用紙サイズ変更入力手段が備えられ、制御手段は、出力画像の表示中において、用紙サイズ変更入力手段により用紙サイズの変更指示されると、出力画像の画像情報に対する記録紙の表示を変更指示されたサイズの記録紙に変更するよう制御する手段を有することを特徴とする。
【００１３】
請求項４に記載の発明は、用紙サイズ読み取り部を備え、
用紙サイズ読み取り部では、あらかじめ認識していない大きさの記録紙をサイズ検知する手段と、用紙サイズ読み取り部において検知した用紙を記録紙とし、出力画像との位置関係を表示部に表示するように制御する手段を有することを特徴とする。
【００１４】
請求項５に記載の発明は、記録紙と、原稿画像サイズと、その出力位置を登録し、記憶しておく出力位置保持部を備え、
設定された記録紙と原稿画像サイズと、その出力位置関係の組み合わせを保持しておくように制御する手段を有することを特徴とする。
【００１５】
請求項６に記載の発明は、あらかじめ保持されている出力位置情報を表示部に表示させる手段と、出力位置情報にある組み合わせの出力位置が指示されると、出力位置情報の保持する記録紙と出力画像との位置関係を表示部に表示するように制御する手段を有することを特徴とする。
【００１６】
請求項７に記載の発明は、操作部にはコピー動作を実行させる出力実行指示入力手段を備え、制御手段は、出力画像の表示中において、出力指示操作があると、画像メモリより原稿画像を読み出すと共に、選択されている記録紙を記録紙収容部から取り出し、表示部に表示されている出力画像と同一のレイアウトで画像情報を記録紙上に印刷するように制御する手段を有することを特徴とする。
【００１７】
請求項８に記載の発明は、出力画像における画像情報は、画像メモリ内の画像情報から解像度を落とした簡略画像情報であることを特徴とする。
【発明の効果】
【００１８】
画像形成装置において、出力画像プレビュー機能、および出力位置調整機能、および出力パターン登録機能を備えることで、ユーザは出力したい記録紙に出力したい原稿画像を所望の位置に迅速、且つ確実に出力することができる。
【発明を実施するための最良の形態】
【００１９】
以下、本発明の実施形態を実施例に沿って図面に基づいて説明する。
【００２０】
図１は、本発明の画像形成装置を備えた一実施例であるデジタル複合機(以下複合機)を示す概略構成図である。
【００２１】
本実施例において画像形成装置１はファクシミリ、コピー、プリンタ、スキャナ等複数の機能を備えた複合機である。
【００２２】
画像形成装置１は、ＣＰＵ２、メモリ３、画像読み取り部４、操作部５、表示部６、ネットワークとつなぐためのインターフェイス７、ディスク８、画像記録部９、用紙サイズ読み取り部１０を備える。メモリ３には画像メモリ３Ａがあり、画像読み取り部４で読み取った原稿画像や、ネットワーク７を介して受信した受信画像などイメージデータが一時的に記録される。操作部５には画像形成装置１を操作するための入力手段として、各種操作キーが設けられている。例えば、動作指示を開始するためのスタートキー５ａ、動作停止指示を出すためのストップキー５ｂ、数値入力等を行うためのテンキー５ｃなどからなる。その他、指定情報をキャンセルするためのリセットキーなどその他のキーを備えていても構わない。表示部６は、ＬＣＤで構成されており、画像形成装置１の動作状態等の各種情報の表示や、画像形成装置１の動作指示を行うためのキー表示などが可能である。
【００２３】
本実施例における出力位置調整は表示部６に表示される位置調整ボタンより位置調整を行う。ディスク８はレイアウト調整部８ａ、出力位置保持部８ｂ、出力用紙サイズ保持部８ｃを備え、レイアウト調整部８ａにおいて、本実施例の出力位置の調整を行い、出力位置保持部８ｂにおいて、記録紙と原稿画像、それらの位置関係の情報を保持し、出力用紙サイズ保持部８ｃでは記録紙のサイズ情報を保持している。本実施例において、不定形用紙の用紙サイズを用紙サイズ読み取り部１０によって検知し、登録することでこの出力用紙サイズ保持部８ｃに情報保持できる。画像記録部９では画像読み取り部４で出力された原稿画像や、ネットワーク７を介して受信した受信画像を記録紙上に記録(印刷)可能である。画像記録部９には、記録紙を収容するための記録紙収容部９ａが設けられ、定型用紙やユーザ希望の不定形用紙など大きさの異なる複数の記録紙を収容可能としている。手差しによる記録紙給紙部も含んでも良い。本実施例の画像形成装置としては、１に限定されるものではない。
【００２４】
これより、本発明の画像形成装置に備える出力画像調整機構について、図２〜図６を用いて説明する。図２は出力画像確認の制御動作の手順を示すフローであり、その中で図３は出力画像確認および調整の一例を示す表示部の図であり、図４は出力画像調整後の確認画面の一例を示す表示部の図であり、図５は出力位置調整登録の一例を示す表示部の図であり、図６は出力パターンから出力調整位置を選択する際の一例を示す表示部の図である。
【００２５】
図２において、出力画像確認の制御動作の手順をフローに従って説明する。
【００２６】
ステップＳ２０１において、出力用紙(記録紙)サイズがセットされたか否かを判断する。セットされたと判断した場合、
ステップＳ２０２において、原稿画像の読み取りを行う。読み取り方法はフラットベッド・タイプ・スキャナであってもよいしＡＤＦからであっても、ネットワーク経由で受信した画像やディスクに保持していた画像であっても構わない。次に、
ステップＳ２０３において、読みよりを行った原稿画像を画像メモリ３ａに格納し、レイアウト調整部８ａにおいて、出力画像の作成を行う。本実施例では作成する出力画像はあらかじめ決めておいた定型位置で作成するとするが、ユーザ毎に決めた位置であっても良いし、記録紙を基準とし、その記録紙の場合の出力位置パターンから出力画像を決めても構わない。次に、
ステップＳ２０４において、ステップＳ２０３で作成した出力画像を表示部６にプレビュー表示する。(後述する図３の画面)
ステップＳ２０１において、出力用紙サイズが既存の記録紙サイズからはセットされなかった場合、
ステップＳ２０５において、用紙サイズ読み取り部１０において、出力用紙サイズの大きさを検知したか否かを判断する。検知した場合、出力用紙サイズ保持部８ｃにサイズを格納して、ステップＳ２０２の動作に進む。用紙サイズを検知しなかった場合、ステップＳ２０１のフローに戻る。
【００２７】
次に、ステップＳ２０６において、出力位置調整があらかじめ出力位置保持部８ｂで保持しているかパターンから選択されたか否かを判断する。パターンから選択されたと判断した場合、
ステップＳ２０７において、パターンによる出力位置画像の再作成を行い、表示部６に表示する。
【００２８】
ステップＳ２０６において、出力位置調整がパターンから選択されなかったと判断した場合、ステップＳ２０８において、出力位置調整の指示がされたか否かを判断する。
【００２９】
指示されたと判断した場合、
ステップＳ２０９において、指示に従った出力位置画像の作成を行い、表示部６にプレビュー画像を再表示する。(後述する図４のプレビュー画面)
次にステップＳ２１０において、指示された出力位置画像の登録を支持されたか否かを判断する。(後述する図４の「新規登録」ボタンが押下されたか否か)
指示されたと判断した場合、
ステップＳ２１１において、指示による出力パターンを出力位置保持部８ｂに登録する。このとき、登録されたパターンがすでに登録済みの出力位置パターンと重複しているか否かを判断し、重複していた場合はその旨を表示部６に表示するようにしても良い。
【００３０】
ステップＳ２０７，ステップＳ２１０、およびステップ２１１のフロー後、
ステップＳ２１２において、コピー実行動作が指示されたか否かを判断する。指示されていないと判断した場合、ステップＳ２０６のフローに戻る。指示されたと判断した場合、ステップＳ２１３において、画像メモリ３ａより原稿画像を読み出し、記録紙と原稿画像の出力位置関係を指示どおりのレイアウト(表示部６で表示しているレイアウト)で印刷実行を行いフローを終了する。
【００３１】
図３は、図２のフロー中のステップS２０４において説明したプレビュー/操作画面の一例である。
【００３２】
図３の操作パネル３０００は、表示部３０１(LCD上の操作部を含む)と操作部３００で構成されている。操作部３００は画像形成装置に操作支持を出すためのテンキー３０４とストップキー３０５とスタートキー３０６で構成されており、この他画像形成装置を操作する上で必要なリセットキーなど他のキーが配置されていても構わない。
【００３３】
表示部３０１は主にプレビュー表示を行う３０２と出力位置調整を行う操作部/用紙サイズ表示を行う３０３で構成される。
【００３４】
プレビュー表示３０２には、出力用紙３０２ａと原稿画像３０２ｂの出力位置を示す状態で表示する。
【００３５】
出力位置調整を行う操作部３０３には、選択された出力用紙サイズ３０３ａと原稿画像の現行のサイズを示す３０３ｂの情報を含み、出力位置調整部として３０３ｃがある。
【００３６】
出力位置調整部３０３ｃは、原稿画像の出力位置調整キー３０３ｃ１と、位置変更量を数値で示す３０３ｃ２、３０３ｃ３と既存の登録パターン画面を表示させるためのキー３０３ｃ４を含んでいる。
【００３７】
図３の例では出力位置調整キー３０３ｃ１は上下,左右の４キーで成り立っているが、回転させるためのキーなどその他キーで出力位置を調整させても良い。あるいは、操作部３００にあるテンキー３０４を利用して向きを変えさせても良い。例えば、２=上、８＝下、４＝左、６＝右など。
【００３８】
出力位置調整キー３０３ｃ１による操作によって、左右のキーを使用するとＸ方向(横方向)３０３ｃ２の位置表示が変更し、上下のキーを使用するとＹ方向(縦方向)３０３ｃ３の位置表示が変更する。このような調整によって出力用紙３０２ａに対して、原稿画像３０２ｂをどのようなレイアウトで出力させるかをユーザに調整させる。調整後のプレビュー画面再表示は図４の４０２で示し後述する。
【００３９】
ユーザは出力位置調整を出力位置調整キー３０３ｃ１によって行わず、すでに登録済みの出力位置パターンから選択したい場合、登録パターン３０３ｃ４を押下することで登録パターンが表示される(その例は図６にて後述する)。
【００４０】
表示部３０１には３０７のようなメッセージや、その他ユーザに設定情報を知らしめるための情報等を表示してももちろん構わない。
【００４１】
図４の説明
図３において、ユーザが出力位置調整キーによって記録紙３０２ａと原稿画像３０２ｂの位置関係を調整すると、図４の４０２で示したように出力調整情報にあわせたプレビュー画像４０２ａ、４０２ｂが再表示される。(図２のステップＳ２０９に対する)図４では元原稿画像の位置や位置調整の行われた指示矢印を表示しているが、表示するか否かは問わない。また上記出力調整情報として出力位置調整部３０３ｃ内のＸ方向の値３０３ｃ２＝１５０ｍｍ、Ｙ方向の値３０３ｃ２＝１７０ｍｍがあわせて変更していることがわかる。
【００４２】
また、ユーザは図４に表示している調整後の出力位置を新規パターンとして登録したい場合は、新規登録４０４の操作によって出力調整パターンを登録する(図２のステップＳ２１１に対し、図５にて登録画面を後述する)。調整した位置をリセットしたければリセットボタン４０５を押下することで初期の出力位置３０２に戻る。
【００４３】
ユーザは出力位置調整後のプレビュー表示４０２の出力位置で問題なければ、スタートキー３０６を押下すると、４０２に表示されている出力位置情報どおりに記録紙に原稿画像が印字されて出力される。(図２のステップＳ２１３に対する)
図５の説明
図４において、ユーザが出力位置調整したパターを登録するために、新規登録ボタン４０４を押下すると、出力位置調整情報の表示/調整操作部である３０３の表示が、出力位置調整登録画面５０５に遷移する。
【００４４】
出力位置調整登録画面５０５には設定されている記録紙のサイズ(例の場合不定形用紙)、および原稿サイズ(例の場合Ａ４)と、出力位置調整を行った場合のＸ方向、Ｙ方向の調整数が表示される。表示された情報で登録してよければＯＫボタン５０６を押下する。図４の調整画面に戻りたければ戻るボタン５０７を押下する。また、表示されている調整自体をキャンセルしたければキャンセルボタン５０８を押下すると図３の初期画面に戻る。
【００４５】
図６の説明
図３、および図４において、ユーザは出力位置調整をすでに登録されている出力位置パターンに基づいて調整を行いたい場合、登録パターンボタン３０３ｃ４を押下すると図６の出力パターン情報表示画面６０６に遷移する。(図６は図４からの遷移図を示し、図３からの遷移の場合は、プレビュー画面６０２が図３の３０２と同様の表示になる。)
出力パターン情報表示画面６０６には、これまで登録されてきた記録紙、原稿画像サイズ、両者の出力位置調整量で構成される情報が表示される。
【００４６】
図６の一例としては、登録済みパターンを６０７に表示させているが、表示される情報として、設定されている記録紙に基づいた出力パターンのみを表示させたり、原稿画像サイズに基づいた出力パターンのみを表示させても、あるいは他の絞込み手段によって絞り込んだパターンのみを表示させても構わない。
【００４７】
パターンから出力位置を選択したいユーザは選択パターンを表示６０７より選択し、決定ボタン６０８を押下する。プレビュー画面６０２はユーザが設定した出力パターンに基づいて出力位置画像の作成を行い、図４の表示部４０１で、作成したプレビュー画像を４０２に表示する。
【００４８】
出力パターンからの出力位置調整を行わない場合は、キャンセルボタン６０９を押下すると１つ前の画面である図３あるいは図４の表示画面に戻る。
【００４９】
以上説明したように、本実施例によれば、
ユーザが希望する記録紙(出力用紙サイズ)に、出力したい原稿画像を、ユーザが希望する出力位置に調整することで希望どおりの印刷物を出力することが可能となる。出力位置を調整する際、出力したい原稿画像が記録紙に対してどの位置に配置するか、プレビュー画面を見ながら調整可能とすることで、ミス出力のロス削減を図ることが可能となる。
【００５０】
また一度設定した出力パターンを保持し、２回目以降の出力時に登録済みのパターンを容易に設定でき、且つ再設定後の出力レイアウトもプレビュー表示で確認可能とすることで、迅速且つ所望どおりの出力を得ることを可能とした。
【００５１】
なお、上記実施形態は、いずれも本発明を実施するにあたっての具体化のほんの一例を示したものに過ぎず、これらによって本発明の技術的範囲が限定的に解釈されてはならないものである。すなわち、本発明はその主要な特徴から逸脱することなく、さまざまな形で実施することが出来る。
【図面の簡単な説明】
【００５２】
【図１】本実施形態に係る画像形成装置の概略構成図を示す図である。
【図２】本実施形態に係る出力位置制御動作の手順を示すフローチャートを示す図である。
【図３】本実施形態における操作部、および表示部の初期画面の一例を示す図である。
【図４】本実施携帯における表示部の出力位置調整後の再描画の一例を示す図である。
【図５】本実施携帯における表示部の出力位置パターン登録画面の一例を示す図である。
【図６】本実施携帯における表示部の出力パターン表示画面の一例を示す図である。
【図１】
2007074540.tif 000003
【図２】
2007074540.tif 000004
【図３】
2007074540.tif 000005
【図４】
2007074540.tif 000006
【図５】
2007074540.tif 000007
【図６】
2007074540.tif 000008